(57)【特許請求の範囲】
【請求項１】
内燃機関に駆動連結される入力部材と、車輪に駆動連結される出力部材と、前記入力部材と前記出力部材とを結ぶ動力伝達経路に互いに並列に設けられた無段変速機構及び前後進切替機構と、前記無段変速機構と前記出力部材との間に設けられた切離用係合装置と、前記前後進切替機構と前記出力部材との間に設けられた常開型の噛み合い式係合装置と、を備え、前記前後進切替機構が、前進用係合装置と後進用係合装置とを含み、前記前進用係合装置の係合状態で前記車輪を前進方向に回転させる状態と、前記後進用係合装置の係合状態で前記車輪を後進方向に回転させる状態と、に切替可能に構成された車両用変速装置を制御対象とする油圧制御装置であって、
前記噛み合い式係合装置と、前記前進用係合装置、前記後進用係合装置、及び前記切離用係合装置の中からいずれか１つ選択される特定係合装置とが、共通リニアソレノイドバルブからの油圧供給を受ける油圧サーボによりそれぞれ動作するように構成されているとともに、
切替バルブにより、人為操作によるシフトレンジ切替に応じて、前記共通リニアソレノイドバルブからの油圧の供給先が切り替えられるように構成され、
（１）前記切替バルブと前記噛み合い式係合装置の油圧サーボとを接続する油路に設けられた絞り部、及び
（２）前記切替バルブにおける前記共通リニアソレノイドバルブとの連通ポートと、前記噛み合い式係合装置の油圧サーボとの連通ポートとの軸方向間隔を広くした構成、
の少なくとも一方を備え、
前記共通リニアソレノイドバルブからの油圧を前記特定係合装置の油圧サーボに供給する場合には、当該供給油圧を一旦低下させてから上昇させる緩係合制御を実行し、
前記切替バルブが前記共通リニアソレノイドバルブからの油圧の供給先を前記噛み合い式係合装置から前記特定係合装置に切り替え、前記緩係合制御において前記共通リニアソレノイドバルブからの供給油圧が低下している間に、前記切替バルブが前記共通リニアソレノイドバルブからの油圧の供給先をさらに前記特定係合装置から前記噛み合い式係合装置に切り替える際に、前記噛み合い式係合装置の油圧サーボに作用する油圧が当該噛み合い式係合装置を係合状態とするのに必要な係合必要圧以上に維持されるように、前記絞り部の開口径及び前記軸方向間隔の少なくとも一方が設定されている油圧制御装置。
【請求項２】
前記切替バルブによる前記共通リニアソレノイドバルブからの油圧の供給先の前記特定係合装置から前記噛み合い式係合装置への切替時からの経過時間が予め定められた設定時間に達した後に、前記共通リニアソレノイドバルブからの供給油圧を前記係合必要圧以上に上昇させる請求項１に記載の油圧制御装置。
【発明の詳細な説明】
【技術分野】
【０００１】
本発明は、車両用変速装置を制御対象とする油圧制御装置に関する。
【背景技術】
【０００２】
車両用変速装置には各種の態様が存在し、例えば入力部材の回転を複数の変速段のいずれかに対応する変速比で変速して出力部材に伝達する有段変速装置や、入力部材の回転を無段階に変速して出力部材に伝達する無段変速装置等が例示される。また、入力部材の回転を予め定められた固定変速比（前進用と後進用とが別々に設定されていても良い）で変速して出力部材に伝達する固定比変速装置も存在する。さらに、特開２０１６−２３８００号公報（特許文献１）には、入力部材と出力部材とを結ぶ動力伝達経路に、上記の無段変速装置に相当する無段変速機構と上記の固定比変速装置に相当する前後進切替機構とが互いに並列に設けられた構成の車両用変速装置が開示されている。
【０００３】
特許文献１の車両用変速装置では、前進用係合装置〔Ｃ１〕の係合状態且つ噛み合い式係合装置〔Ｓ１〕の係合状態で前進非無段モードが実現され、切離用係合装置〔Ｃ２〕の係合状態で前進無段モードが実現される。また、後進用係合装置〔Ｂ１〕且つ噛み合い式係合装置〔Ｓ１〕の係合状態で後進非無段モードが実現される。なお、特許文献１には明記されていないが、前進用係合装置〔Ｃ１〕及び後進用係合装置〔Ｂ１〕の非係合状態であって噛み合い式係合装置〔Ｓ１〕の係合状態で中立モードが実現されると理解される。
【０００４】
特許文献１の車両用変速装置の油圧制御装置は、前進用係合装置〔Ｃ１〕に対応するリニアソレノイドバルブ〔ＳＬ１〕と、切離用係合装置〔Ｃ２〕に対応するリニアソレノイドバルブ〔ＳＬ２〕と、噛み合い式係合装置〔Ｓ１〕に対応するリニアソレノイドバルブ〔ＳＬＧ〕とを備えている。なお、後進用係合装置〔Ｂ１〕には、リニアソレノイドバルブを介することなくリバースレンジ圧が直接供給されている。
【０００５】
特許文献１において、噛み合い式係合装置とそれ以外の係合装置のうちのいずれか１つ（例えば後進用係合装置）とを、共通リニアソレノイドバルブと切替バルブとを用いて、共通リニアソレノイドバルブからの供給油圧によってそれぞれ動作するように構成することが考えられる。かかる構成では、例えば中立モードから後進非無段モードに切り替える際には、共通リニアソレノイドバルブからの油圧の供給先が噛み合い式係合装置の油圧サーボから後進用係合装置の油圧サーボに切り替えられる。このとき、後進用係合装置をショックなく係合させるためには、共通リニアソレノイドバルブからの供給油圧を、ある程度低い状態から次第に上昇させることが好ましい。
【０００６】
しかし、例えばその後、後進非無段モードからさらに中立モードへの切り替えを行う場合には、一旦低下した共通リニアソレノイドバルブからの供給油圧が噛み合い式係合装置の油圧サーボに供給されるため、その時の共通リニアソレノイドバルブからの供給油圧が噛み合い式係合装置の係合必要圧未満である場合には、噛み合い式係合装置が解放されてしまう。噛み合い式係合装置が解放されると、再係合するまで待機しなければならず、ヘジテーションが発生してしまう。
【先行技術文献】
【特許文献】
【０００７】
【特許文献１】特開２０１６−２３８００号公報
【発明の概要】
【発明が解決しようとする課題】
【０００８】
噛み合い式係合装置とそれ以外の係合装置のうちのいずれか１つである特定係合装置とを共通リニアソレノイドバルブと切替バルブとを用いてそれぞれ制御する構成の油圧制御装置において、噛み合い式係合装置の係合状態で実現されるモードから特定係合装置の係合状態で実現されるモードに切り替えられる場合にも、噛み合い式係合装置を係合状態に維持することが望まれている。
【課題を解決するための手段】
【０００９】
本開示に係る油圧制御装置は、
内燃機関に駆動連結される入力部材と、車輪に駆動連結される出力部材と、前記入力部材と前記出力部材とを結ぶ動力伝達経路に互いに並列に設けられた無段変速機構及び前後進切替機構と、前記無段変速機構と前記出力部材との間に設けられた切離用係合装置と、前記前後進切替機構と前記出力部材との間に設けられた常開型の噛み合い式係合装置と、を備え、前記前後進切替機構が、前進用係合装置の係合状態で前記車輪を前進方向に回転させる状態と、後進用係合装置の係合状態で前記車輪を後進方向に回転させる状態と、に切替可能に構成された車両用変速装置を制御対象とする油圧制御装置であって、
前記噛み合い式係合装置と、前記前進用係合装置、前記後進用係合装置、及び前記切離用係合装置の中からいずれか１つ選択される特定係合装置とが、共通リニアソレノイドバルブからの油圧供給を受ける油圧サーボによりそれぞれ動作するように構成されているともに、
切替バルブにより、人為操作によるシフトレンジ切替に応じて、前記共通リニアソレノイドバルブからの油圧の供給先が切り替えられるように構成され、
（１）前記切替バルブと前記噛み合い式係合装置の油圧サーボとを接続する油路に設けられた絞り部、及び
（２）前記切替バルブにおける前記共通リニアソレノイドバルブとの連通ポートと、前記噛み合い式係合装置の油圧サーボとの連通ポートとの軸方向間隔を広くした構成、
の少なくとも一方を備える。
【００１０】
この構成によれば、（１）の絞り部を備えることで、噛み合い式係合装置の係合状態で実現されるモード（以下、「第一モード」と言う。）において噛み合い式係合装置の油圧サーボに供給されていた油圧が、特定係合装置の係合状態で実現されるモード（以下、「第二モード」と言う。）に切り替えられた後、緩やかに低下する。このため、第一モードから第二モードへの切替後も噛み合い式係合装置の油圧サーボに作用する油圧が比較的高く維持される。よって、共通リニアソレノイドバルブからの供給油圧の大きさによらずに、第二モードへの切替後もしばらくの間は噛み合い式係合装置を係合状態に維持することができる。
或いは、（２）の構成を備えることで、第一モードから第二モードへの切り替えのために切替バルブが共通リニアソレノイドバルブからの油圧の供給先を噛み合い式係合装置の油圧サーボから特定係合装置の油圧サーボへと切り替える際に、共通リニアソレノイドバルブと噛み合い式係合装置の油圧サーボとが連通する時期を遅らせることができる。このため、噛み合い式係合装置の油圧サーボに作用する油圧の低下開始時期を遅らせることができ、第一モードから第二モードへの切替後も噛み合い式係合装置の油圧サーボに作用する油圧が比較的高く維持される。よって、第二モードへの切替後もしばらくの間は噛み合い式係合装置を係合状態に維持することができる。
【００１１】
本開示に係る技術のさらなる特徴と利点は、図面を参照して記述する以下の例示的かつ非限定的な実施形態の説明によってより明確になるであろう。
【図面の簡単な説明】
【００１２】
【図１】実施形態に係る車両用変速装置の模式図
【図２】車両用変速装置の係合表
【図３】油圧制御装置の回路図
【図４】中立モードでの作動油の流れを示す模式図
【図５】後進モードでの作動油の流れを示す模式図
【図６】中立モード→後進モード→中立モードの切替時のタイムチャート
【発明を実施するための形態】
【００１３】
油圧制御装置の実施形態について、図面を参照して説明する。本実施形態の油圧制御装置１は、車両用変速装置７（以下、単に「変速装置７」と言う。）を制御対象とする。油圧制御装置１は、変速装置７に備えられる油圧駆動要素（例えば、後述する第一クラッチＣ１、第二クラッチＣ２、第一ブレーキＢ１、及びドグクラッチＤ等）に供給される油圧を制御するために設けられている。
【００１４】
図１に示すように、変速装置７は、入力部材７１と、第一クラッチＣ１及び第一ブレーキＢ１を有する前後進切替機構７４と、無段変速機構７６と、第二クラッチＣ２と、ドグクラッチＤと、出力部材７７とを備えている。前後進切替機構７４と無段変速機構７６とは、入力部材７１と出力部材７７とを結ぶ動力伝達経路に、互いに並列に設けられている。また、変速装置７は、ロックアップクラッチ７３を有する流体継手７２と、減速ギヤ機構７５と、カウンタギヤ機構７８と、出力用差動歯車機構７９とを備えている。これらは、図示が省略されたケース（駆動装置ケース）内に収容されている。
【００１５】
入力部材７１は、内燃機関ＥＧに駆動力を伝達可能に連結（以下、単に「駆動連結」と言う。）されている。流体継手７２は、入力部材７１と前後進切替機構７４及び無段変速機構７６（以下、前後進切替機構７４と無段変速機構７６とを包括して「変速機構」と言う場合がある。）とに駆動連結されている。本実施形態の流体継手７２は、例えば入力部材７１に駆動連結されたポンプインペラと、変速機構に駆動連結されたタービンランナと、これらの間に配置されたステータとを備えるトルクコンバータである。なお、流体継手７２は、ポンプインペラとタービンランナとだけを備えるフルードカップリングであっても良い。流体継手７２は、ロックアップクラッチ７３の解放状態で、その内部における作動油を介した流体伝動により、入力部材７１に入力される内燃機関ＥＧのトルクを変速機構に伝達する。一方、ロックアップクラッチ７３の係合状態では、入力部材７１に入力される内燃機関ＥＧのトルクがそのまま変速機構に伝達される。
【００１６】
前後進切替機構７４は、差動歯車機構７４Ａと、第一クラッチＣ１と、第一ブレーキＢ１とを含む。差動歯車機構７４Ａは、サンギヤ、キャリヤ、及びリングギヤを有するダブルピニオン型の遊星歯車機構で構成されている。キャリヤに入力部材７１が駆動連結され、リングギヤが第一ブレーキＢ１によって選択的に固定可能とされている。サンギヤは、当該差動歯車機構７４Ａの出力ギヤに駆動連結されているとともに、第一クラッチＣ１によって選択的にキャリヤ及び入力部材７１に駆動連結される。本実施形態では、第一クラッチＣ１及び第一ブレーキＢ１は、いずれも、互いに係合する２つの回転部材どうしの摩擦力によって駆動力を伝達可能な摩擦係合装置である。
【００１７】
前後進切替機構７４は、第一クラッチＣ１の係合状態で、入力部材７１の回転をそのまま出力ギヤに伝達して、車輪Ｗを前進方向に回転させる状態（前進状態）となる。一方、前後進切替機構７４は、第一ブレーキＢ１の係合状態で、入力部材７１の回転を反転させて出力ギヤに伝達して、車輪Ｗを後進方向に回転させる状態（後進状態）となる。このように、前後進切替機構７４は、前進状態と後進状態とに切替可能に構成されている。本実施形態では、第一クラッチＣ１が「前進用係合装置」に相当し、第一ブレーキＢ１が「後進用係合装置」に相当する。
【００１８】
本実施形態では、前後進切替機構７４と出力部材７７との間に、ドグクラッチＤを有する減速ギヤ機構７５が設けられている。減速ギヤ機構７５は、第一ギヤ８１と第二ギヤ８２との歯数比に基づき、差動歯車機構７４Ａの出力ギヤの回転を減速して出力部材７７側に伝達する。ドグクラッチＤは、第一噛合部８３と、第二噛合部８４と、噛合選択部材８５とを有する。第一噛合部８３は、第一ギヤ８１に駆動連結されている。第二噛合部８４は、第二ギヤ８２に駆動連結されている。噛合選択部材８５は、油圧駆動式のシフトフォーク８６により軸方向に移動自在となっている。
【００１９】
噛合選択部材８５は、第一噛合部８３と第二噛合部８４との両方に噛み合う状態で、第一ギヤ８１と第二ギヤ８２とを一体回転させる（以下、この状態をドグクラッチＤの「係合状態」と言う。）。ドグクラッチＤの係合状態で、前後進切替機構７４と出力部材７７とが駆動連結される。一方、噛合選択部材８５は、第一噛合部８３又は第二噛合部８４だけに噛み合う状態で、第一ギヤ８１と第二ギヤ８２とを相対回転させる（以下、この状態をドグクラッチＤの「解放状態」と言う。）。ドグクラッチＤの解放状態で、前後進切替機構７４と出力部材７７とが分離されて、これらの間で駆動力が伝達されなくなる。本実施形態では、ドグクラッチＤが「噛み合い式係合装置」に相当する。
【００２０】
なお、本実施形態では、シフトフォーク８６はスプリング８７によって常時解放側に付勢されており、油圧が供給されない状態で、ドグクラッチＤは解放状態となる。すなわち、本実施形態のドグクラッチＤは、常開型（ノーマルオープン型）に構成されている。
【００２１】
無段変速機構７６は、第一シーブと、第二シーブと、伝動ベルトとを有する。第一シーブは、入力部材７１に駆動連結されている。第二シーブは、第二クラッチＣ２を介して出力部材７７に駆動連結されている。第二シーブは、第二クラッチＣ２によって選択的に出力部材７７に駆動連結される。本実施形態では、第二クラッチＣ２も、第一クラッチＣ１及び第一ブレーキＢ１と同様に摩擦係合装置である。本実施形態では、第二クラッチＣ２が「切離用係合装置」に相当する。伝動ベルトは、第一シーブと第二シーブとに架け渡されている。無段変速機構７６は、第一シーブが有するＶ字状溝の溝幅及び第二シーブが有するＶ字状溝の溝幅をそれぞれ変化させることにより、第一シーブ及び第二シーブのそれぞれの有効径を連続的に変化させる。こうして、無段変速機構７６は、入力部材７１の回転を、変速比を無段階に変化させつつ出力部材７７側に伝達する。
【００２２】
出力部材７７は、カウンタギヤ機構７８と出力用差動歯車機構７９とを介して、左右一対の車輪Ｗに駆動連結されている。
【００２３】
図２に示すように、本実施形態の変速装置７は、第一前進モード、第二前進モード、後進モード、及び中立モードを実現可能となっている。第一前進モードは、第一クラッチＣ１及びドグクラッチＤの係合状態（、且つ、他の係合装置の解放状態；以下同様）で実現される。この第一前進モードは、入力部材７１の回転が、前進状態となる前後進切替機構７４を介して出力部材７７及び車輪Ｗに伝達される走行モードであり、“前進固定変速比モード”とも称することができる。第二前進モードは、第二クラッチＣ２の係合状態で実現される。この第二前進モードは、入力部材７１の回転が、無段変速機構７６を介して出力部材７７及び車輪Ｗに伝達される走行モードであり、“前進無段変速モード”とも称することができる。後進モードは、第一ブレーキＢ１及びドグクラッチＤの係合状態で実現される。この後進モードは、入力部材７１の回転が、後進状態となる前後進切替機構７４を介して出力部材７７及び車輪Ｗに伝達される走行モードであり、“後進固定変速比モード”とも称することができる。中立モードは、ドグクラッチＤの係合状態で実現される。この中立モードは、入力部材７１の回転が出力部材７７及び車輪Ｗには伝達されないモードであり、“停車中モード”とも称することができる。
【００２４】
変速装置７で実現される動作モードは、制御装置９１（図１を参照）からの制御信号に従って動作する油圧制御装置１によって切替可能となっている。制御装置９１は、シフトレバー９２の操作位置を検出するシフト位置検出部９３の検出信号を取得するように構成されている。制御装置９１は、検出されるシフトレバー９２の操作位置に応じて、第一クラッチＣ１、第二クラッチＣ２、第一ブレーキＢ１、及びドグクラッチＤのそれぞれの係合の状態（係合状態／解放状態）を制御するための制御信号を出力する。油圧制御装置１は、受け取った制御信号に基づき、第一クラッチＣ１用の第一油圧サーボ４１（図３を参照）、第二クラッチＣ２用の第二油圧サーボ４２、第一ブレーキＢ１用の第三油圧サーボ４３、及びドグクラッチＤ用の第四油圧サーボ４４に供給される油圧をそれぞれ制御する。
【００２５】
例えばシフトレバー９２の検出位置が「１」レンジである場合には、第一前進モードを実現するべく、油圧制御装置１は、第一油圧サーボ４１及び第四油圧サーボ４４に油圧を供給する。例えばシフトレバー９２の検出位置が「２」レンジ又は「Ｄ」レンジである場合には、第二前進モードを実現するべく、油圧制御装置１は、第二油圧サーボ４２に油圧を供給する。例えばシフトレバー９２の検出位置が「Ｒ」レンジである場合には、後進モードを実現するべく、油圧制御装置１は、第三油圧サーボ４３及び第四油圧サーボ４４に油圧を供給する。例えばシフトレバー９２の検出位置が「Ｎ」レンジである場合には、中立モードを実現するべく、油圧制御装置１は、第四油圧サーボ４４に油圧を供給する。なお、第一前進モードと第二前進モードとの切り替えは、アクセル開度や車速等に応じて制御装置９１（図１を参照）によって実行される構成であっても良い。
【００２６】
図３に、油圧制御装置１の油圧回路（具体的には、図示が省略されたバルブボディに形成されている油圧回路）を、本開示に係る技術の要部に関わる部分のみを抜き出して模式的に示す。この図に示すように、油圧制御装置１は、モジュレータバルブ２０と、マニュアルバルブ２５と、第一リニアソレノイドバルブ３１と、第二リニアソレノイドバルブ３２と、第三リニアソレノイドバルブ３３と、切替バルブ５０とを備えている。
【００２７】
モジュレータバルブ２０は、スプール２１と、スプリング２２とを備えている。スプール２１は、バルブボディ内に軸方向にスライド移動自在に配置されている。スプリング２２は、バルブボディ内に配置されてスプール２１を軸方向に付勢している。また、モジュレータバルブ２０は、入力ポート２０ａと出力ポート２０ｂとを備えている。入力ポート２０ａには、ライン圧ＰＬが供給される。ここで、変速装置７には、入力部材７１に駆動連結されたオイルポンプ（図示せず）が設けられている。オイルポンプは、入力部材７１に駆動連結された内燃機関ＥＧのトルクによって駆動されて、ケース下部に設けられたオイルパンから油（作動油、ＡＴＦ；Automatic transmission fluid）を吸引して、所定圧に高めて吐出する。オイルポンプから吐出される油は、レギュレータバルブ（図示せず）によってライン圧ＰＬに調圧されて、モジュレータバルブ２０に供給される。
【００２８】
モジュレータバルブ２０は、ソレノイド部に印加される電流に応じて元圧としてのライン圧ＰＬを調整して、ライン圧ＰＬよりも低圧のモジュレータ圧ＰＭを生成する。モジュレータバルブ２０の出力ポート２０ｂは、マニュアルバルブ２５の入力ポート２５ａと、切替バルブ５０の第一入力ポート５０ａとに連通している。
【００２９】
マニュアルバルブ２５は、シフトレバー９２の操作に連動して軸方向にスライド移動自在なスプール２６を備えており、シフトレバー９２の操作位置に応じて、モジュレータバルブ２０から供給されるモジュレータ圧ＰＭの供給経路を切り替える。マニュアルバルブ２５は、シフトレバー９２で「１」レンジ、「２」レンジ、又は「Ｄ」レンジが選択されている場合には、入力ポート２５ａに供給されるモジュレータ圧ＰＭを第一出力ポート２５ｂからドライブレンジ圧ＰＤとして出力する。また、マニュアルバルブ２５は、シフトレバー９２で「Ｒ」レンジが選択されている場合には、入力ポート２５ａに供給されるモジュレータ圧ＰＭを第二出力ポート２５ｃからリバースレンジ圧ＰＲとして出力する。また、マニュアルバルブ２５は、シフトレバー９２で「Ｎ」レンジが選択されている場合には、第一出力ポート２５ｂ及び第二出力ポート２５ｃを図示が省略されたドレンポートと連通させる。
【００３０】
第一出力ポート２５ｂは、第一リニアソレノイドバルブ３１の入力ポート３１ａと、第二リニアソレノイドバルブ３２の入力ポート３２ａとに連通している。よって、マニュアルバルブ２５は、シフトレバー９２で「１」レンジ、「２」レンジ、又は「Ｄ」レンジが選択されている場合に、モジュレータ圧ＰＭに等しいドライブレンジ圧ＰＤを第一リニアソレノイドバルブ３１及び第二リニアソレノイドバルブ３２に供給する。第二出力ポート２５ｃは、切替バルブ５０の第二入力ポート５０ｂ及び第三入力ポート５０ｃに連通している。よって、マニュアルバルブ２５は、シフトレバー９２で「Ｒ」レンジが選択されている場合に、モジュレータ圧ＰＭに等しいリバースレンジ圧ＰＲを切替バルブ５０の２つの入力ポート５０ｂ，５０ｃに供給する。
【００３１】
第一リニアソレノイドバルブ３１は、ソレノイド部に印加される電流に応じて元圧としてのドライブレンジ圧ＰＤを調整して、第一供給油圧Ｐｓｌ１を生成する。第一リニアソレノイドバルブ３１の出力ポート３１ｂは、第一クラッチＣ１用の第一油圧サーボ４１に連通している。第一リニアソレノイドバルブ３１で生成された第一供給油圧Ｐｓｌ１は、第一油圧サーボ４１に供給される。
【００３２】
第二リニアソレノイドバルブ３２は、ソレノイド部に印加される電流に応じて元圧としてのドライブレンジ圧ＰＤを調整して、第二供給油圧Ｐｓｌ２を生成する。第二リニアソレノイドバルブ３２の出力ポート３２ｂは、第二クラッチＣ２用の第二油圧サーボ４２に連通している。第二リニアソレノイドバルブ３２で生成された第二供給油圧Ｐｓｌ２は、第二油圧サーボ４２に供給される。
【００３３】
第三リニアソレノイドバルブ３３は、ソレノイド部に印加される電流に応じて、後述する切替バルブ５０から供給される元圧としてのモジュレータ圧ＰＭ又はリバースレンジ圧ＰＲを調整して、第三供給油圧Ｐｓｌ３を生成する。第三リニアソレノイドバルブ３３の出力ポート３３ｂは、切替バルブ５０の第四入力ポート５０ｄに連通している。第三リニアソレノイドバルブ３３で生成された第三供給油圧Ｐｓｌ３は、切替バルブ５０に供給される。
【００３４】
切替バルブ５０は、スプール５１と、スプリング５２とを備えている。スプール５１は、バルブボディ内に軸方向にスライド移動自在に配置されている。スプリング５２は、バルブボディ内に配置されてスプール５１を軸方向に付勢している。また、切替バルブ５０は、第一入力ポート５０ａと、第二入力ポート５０ｂと、第三入力ポート５０ｃと、第四入力ポート５０ｄと、第一出力ポート５０ｅと、第二出力ポート５０ｆと、第三出力ポート５０ｇとを備えている。第一入力ポート５０ａには、モジュレータ圧ＰＭが供給される。第二入力ポート５０ｂ及び第三入力ポート５０ｃには、リバースレンジ圧ＰＲが供給される。第四入力ポート５０ｄには、第三リニアソレノイドバルブ３３で生成された第三供給油圧Ｐｓｌ３が供給される。
【００３５】
第一出力ポート５０ｅは、第三リニアソレノイドバルブ３３の入力ポート３３ａに連通している。第二出力ポート５０ｆは、第一ブレーキＢ１用の第三油圧サーボ４３に連通している。第三出力ポート５０ｇは、ドグクラッチＤ用の第四油圧サーボ４４に連通している。
【００３６】
本実施形態では、切替バルブ５０の取付状態（初期状態であって、以下、「第一状態」と言う。）は、スプリング５２によってスプール５１が図３における上方に付勢された、同図中左側半分の状態とされている。この第一状態では、第二入力ポート５０ｂ及び第三入力ポート５０ｃが閉塞され、第一入力ポート５０ａと第一出力ポート５０ｅとが連通され、第四入力ポート５０ｄと第二出力ポート５０ｆとの連通が遮断され、第四入力ポート５０ｄと第三出力ポート５０ｇとが連通される。切替バルブ５０は、第一状態で、第一入力ポート５０ａに供給されるモジュレータ圧ＰＭを第三リニアソレノイドバルブ３３に供給し、当該第三リニアソレノイドバルブ３３での調圧によって生成された第三供給油圧Ｐｓｌ３を、第四油圧サーボ４４に供給する（図４を参照）。本実施形態では、切替バルブ５０は、シフトレバー９２が「Ｒ」レンジ以外の位置（「非Ｒ」レンジ）にある場合に、第一状態となる。
【００３７】
一方、切替バルブ５０は、シフトレバー９２が「Ｒ」レンジに操作されてリバースレンジ圧ＰＲが信号圧として第三入力ポート５０ｃに入力されると、スプール５１が図３における下方に移動し、同図中右側半分の状態（以下、「第二状態」と言う。）となる。この第二状態では、第一入力ポート５０ａと第三出力ポート５０ｇとが連通され、第二入力ポート５０ｂと第一出力ポート５０ｅとが連通され、第四入力ポート５０ｄと第二出力ポート５０ｆとが連通され、第四入力ポート５０ｄと第三出力ポート５０ｇとの連通が遮断される。切替バルブ５０は、第二状態で、第一入力ポート５０ａに供給されるモジュレータ圧ＰＭを第四油圧サーボ４４に供給するとともに、第二入力ポート５０ｂに供給されるリバースレンジ圧ＰＲを第三リニアソレノイドバルブ３３に供給し、当該第三リニアソレノイドバルブ３３での調圧によって生成された第三供給油圧Ｐｓｌ３を第三油圧サーボ４３に供給する（図５を参照）。
【００３８】
このように、本実施形態では、ドグクラッチＤと第一ブレーキＢ１とが、共通の第三リニアソレノイドバルブ３３からの第三供給油圧Ｐｓｌ３によってそれぞれ動作するように構成されている。そして、第三リニアソレノイドバルブ３３からの第三供給油圧Ｐｓｌ３の供給先が、切替バルブ５０により、人為操作によるシフトレンジ切替（具体的には、シフトレバー９２の操作による操作位置の切替）に応じて切り替えられるように構成されている。本実施形態では、第一ブレーキＢ１が「特定係合装置Ｅｓ」に相当し、第三リニアソレノイドバルブ３３が「共通リニアソレノイドバルブ」に相当する。
【００３９】
ここで、一例として、シフトレバー９２が「Ｎ」レンジから「Ｒ」レンジに切り替えられて、動作モードが中立モードから後進モードに切り替えられる場面を想定する。中立モードでは、切替バルブ５０の第一状態で、ドグクラッチＤを係合状態に維持するのに十分な大きさ（例えば、図６に示す係合必要圧Ｐｅ以上）の第三供給油圧Ｐｓｌ３が、第四油圧サーボ４４に供給されている。係合必要圧Ｐｅは、ドグクラッチＤを係合状態とする（具体的には、噛合選択部材８５が第一噛合部８３と第二噛合部８４との両方に噛み合う状態となるようにスプリング８７の付勢力に抗してシフトフォーク８６を移動させる）のに必要な油圧である。
【００４０】
この状態で、後進モードへの切り替えに伴って切替バルブ５０の第三入力ポート５０ｃにリバースレンジ圧ＰＲが入力されると、切替バルブ５０は第二状態となる。すると、切替バルブ５０を介して、モジュレータ圧ＰＭが第四油圧サーボ４４に供給されるとともに第三供給油圧Ｐｓｌ３が第三油圧サーボ４３にされるようになる。このとき、第四油圧サーボ４４に供給される油圧は、十分な大きさの第三供給油圧Ｐｓｌ３からモジュレータ圧ＰＭに変更されるだけなので、ドグクラッチＤの係合状態が維持される。
【００４１】
一方、第三油圧サーボ４３に対しては、油圧が供給されていない状態から、第三リニアソレノイドバルブ３３からの第三供給油圧Ｐｓｌ３が新たに供給されることになる。このとき、第一ブレーキＢ１は摩擦係合装置であるから、急係合による係合ショックの発生を回避するため、第三供給油圧Ｐｓｌ３は、一旦低下させてから上昇させることが好ましい。すなわち、第三供給油圧Ｐｓｌ３を例えば十分に小さい圧に低下させてから次第に上昇させることにより、第一ブレーキＢ１を緩やかに（徐々に）係合させる緩係合制御を実行することが好ましい。この場合、例えば第三供給油圧Ｐｓｌ３の指令値は、図６に示すように、ファストフィル期間以降は、所定期間、第一ブレーキＢ１の２つの係合部材間に伝達トルク容量が生じない程度の大きさを維持するように設定されることが好ましい。第三供給油圧Ｐｓｌ３は、例えば上述した係合必要圧Ｐｅ未満の圧に一旦維持されてから上昇するように設定される場合がある。
【００４２】
ここで、一例として、シフトレバー９２が「Ｒ」レンジからさらに「Ｎ」レンジに切り替えられて、動作モードが後進モードからさらに中立モードに切り替えられる場面を想定する。上記のとおり、最初に中立モードから後進モードに切り替えられた際には、第一ブレーキＢ１の急係合による係合ショックの発生を回避するため、第三供給油圧Ｐｓｌ３が低下されている。このため、この状態で中立モードへの切り替えに伴って切替バルブ５０が第一状態に復帰すると、低圧（例えば、上述した係合必要圧Ｐｅ未満の圧）の第三供給油圧Ｐｓｌ３が第四油圧サーボ４４に供給されることになる。
【００４３】
その結果、本来的にはドグクラッチＤが係合状態とされるべき中立モードにおいて、シフトフォーク８６がスプリング８７によって押し戻されて、ドグクラッチＤが解放状態となってしまう。ドグクラッチＤが一旦解放状態となると、係合状態に復帰するまでに一定時間を要するので、例えばその後に「１」レンジや「Ｒ」レンジが選択された場合に、ヘジテーションが発生する場合があって好ましくない。
【００４４】
そこで本実施形態の油圧制御装置１は、中立モードから後進モードへの切替時に第三供給油圧Ｐｓｌ３が低下される場合にも第四油圧サーボ４４に作用する油圧が係合必要圧Ｐｅ以上に維持されるように、異なる観点からの以下の２つの構成を備えている。
【００４５】
第１の観点は、第四油圧サーボ４４に作用する油圧の低下速度を小さくするというものである。この観点に基づき、本実施形態の油圧制御装置１は、切替バルブ５０と第四油圧サーボ４４とを接続する油路に設けられた絞り部６０を備えている。絞り部６０は、当該部位における油路断面積を、その前後の部位における油路断面積よりも小さくした部位である。このような絞り部６０を切替バルブ５０と第四油圧サーボ４４とを接続する油路に設けることで、後進モードから中立モードへの切替時に、第四油圧サーボ４４からの油の戻りによる排出量を少なく抑えることができる。よって、第三供給油圧Ｐｓｌ３の大きさによらずに、第四油圧サーボ４４に作用する油圧を緩やかに低下させることができる。
【００４６】
第２の観点は、第四油圧サーボ４４に作用する油圧の低下開始時期を遅くするというものである。この観点に基づき、本実施形態の油圧制御装置１では、切替バルブ５０における第三リニアソレノイドバルブ３３との連通ポートである第四入力ポート５０ｄと、第四油圧サーボ４４との連通ポートである第三出力ポート５０ｇとの軸方向間隔が広く設定されている。なお、ここで言う「軸方向」とは、切替バルブ５０のスプール５１の移動方向である。すなわち、切替バルブ５０における第四入力ポート５０ｄと第三出力ポート５０ｇとの間の、スプール５１の移動方向に沿う間隔が、通常の間隔に比べて広く設定されている。このようにすることで、中立モードから後進モードへの切替時に、第三リニアソレノイドバルブ３３と第四油圧サーボ４４とが連通する時期を遅らせることができ、第四油圧サーボ４４への低圧の第三供給油圧Ｐｓｌ３の供給開始時期を遅らせることができる。よって、それに応じて、第四油圧サーボ４４に作用する油圧の低下を遅らせることができる。
【００４７】
絞り部６０の開口径及び第四入力ポート５０ｄと第三出力ポート５０ｇとの軸方向間隔は、切替バルブ５０が第一状態から第二状態に切り替えられ、さらに第二状態から第一状態に切り替えられる際に、第四油圧サーボ４４に作用する油圧が係合必要圧Ｐｅ以上に維持されるように設定されている。よって、中立モード→後進モード→中立モードと切り替える場合に、第三供給油圧Ｐｓｌ３を低下させて係合ショックの発生を回避しつつ、第四油圧サーボ４４からの油の抜けを遅延させることにより、第四油圧サーボ４４に作用する油圧を係合必要圧Ｐｅ以上に維持して、ドグクラッチＤを係合状態に維持することができる。ドグクラッチＤが係合状態に維持されるので、その後に「１」レンジや「Ｒ」レンジが選択される場合にも、ヘジテーションを生じさせることなく、応答性良く車両を発進させることができる。
【００４８】
第三リニアソレノイドバルブ３３からの第三供給油圧Ｐｓｌ３は、切替バルブ５０による油圧供給先の第三油圧サーボ４３から第四油圧サーボ４４への切替時からの経過時間が予め定められた設定時間に達した後に、係合必要圧Ｐｅ以上に上昇される。設定時間は、油圧制御装置１の個体毎のバラツキによらずに、切替バルブ５０が切替指令を受けてから実際に第三リニアソレノイドバルブ３３と第四油圧サーボ４４とを確実に連通させるまでに要する時間として、実験的に求められて設定されている。このように、設定時間の経過後に第三リニアソレノイドバルブ３３からの第三供給油圧Ｐｓｌ３を係合必要圧Ｐｅ以上に上昇させることで、ドグクラッチＤを確定的に係合状態とすることができる。
【００４９】
〔その他の実施形態〕
（１）上記の実施形態では、切替バルブ５０と第四油圧サーボ４４とを接続する油路に絞り部６０が設けられるとともに、切替バルブ５０における第四入力ポート５０ｄと第三出力ポート５０ｇとの軸方向間隔が広く設定されている構成を例として説明した。しかし、そのような構成に限定されることなく、例えば切替バルブ５０における第四入力ポート５０ｄと第三出力ポート５０ｇとの軸方向間隔が広く設定されずに絞り部６０だけが設けられても良い。或いは、絞り部６０が設けられずに切替バルブ５０における第四入力ポート５０ｄと第三出力ポート５０ｇとの軸方向間隔だけが広く設定されても良い。
【００５０】
（２）上記の実施形態では、第三リニアソレノイドバルブ３３からの第三供給油圧Ｐｓｌ３が、切替バルブ５０による油圧供給先の切替後に設定時間以上経過した後に係合必要圧Ｐｅ以上に上昇される構成を例として説明した。しかし、そのような構成に限定されることなく、例えば設定時間の経過前であっても、実際に「Ｎ」レンジが選択されたことがシフト位置検出部９３によって検知された場合には、その時点で第三供給油圧Ｐｓｌ３が係合必要圧Ｐｅ以上に上昇されても良い。
【００５１】
（３）上記の実施形態では、ドグクラッチＤと第一ブレーキＢ１とが共通の第三リニアソレノイドバルブ３３からの第三供給油圧Ｐｓｌ３によってそれぞれ動作する構成を例として説明した。しかし、そのような構成に限定されることなく、例えばドグクラッチＤと第一クラッチＣ１とが共通の第一リニアソレノイドバルブ３１からの第一供給油圧Ｐｓｌ１によってそれぞれ動作しても良い。この場合、第一クラッチＣ１が「特定係合装置Ｅｓ」に相当する。或いは、ドグクラッチＤと第二クラッチＣ２とが共通の第二リニアソレノイドバルブ３２からの第二供給油圧Ｐｓｌ２によってそれぞれ動作しても良い。この場合、第二クラッチＣ２が「特定係合装置Ｅｓ」に相当する。
【００５２】
（４）上述した各実施形態（上記の実施形態及びその他の実施形態を含む；以下同様）で開示される構成は、矛盾が生じない限り、他の実施形態で開示される構成と組み合わせて適用することも可能である。その他の構成に関しても、本明細書において開示された実施形態は全ての点で例示であって、本開示の趣旨を逸脱しない範囲内で適宜改変することが可能である。
【００５３】
〔実施形態の概要〕
以上をまとめると、本開示に係る油圧制御装置は、好適には、以下の各構成を備える。
【００５４】
内燃機関（ＥＧ）に駆動連結される入力部材（７１）と、車輪（Ｗ）に駆動連結される出力部材（７７）と、前記入力部材（７１）と前記出力部材（７７）とを結ぶ動力伝達経路に互いに並列に設けられた無段変速機構（７６）及び前後進切替機構（７４）と、前記無段変速機構（７６）と前記出力部材（７７）との間に設けられた切離用係合装置（Ｃ２）と、前記前後進切替機構（７４）と前記出力部材（７７）との間に設けられた常開型の噛み合い式係合装置（Ｄ）と、を備え、前記前後進切替機構（７４）が、前進用係合装置（Ｃ１）の係合状態で前記車輪（Ｗ）を前進方向に回転させる状態と、後進用係合装置（Ｂ１）の係合状態で前記車輪（Ｗ）を後進方向に回転させる状態と、に切替可能に構成された車両用変速装置（７）を制御対象とする油圧制御装置（１）であって、
前記噛み合い式係合装置（Ｄ）と、前記前進用係合装置（Ｃ１）、前記後進用係合装置（Ｂ１）、及び前記切離用係合装置（Ｃ２）の中からいずれか１つ選択される特定係合装置（Ｅｓ）とが、共通リニアソレノイドバルブ（３１／３２／３３）からの油圧供給を受ける油圧サーボ（４４，４１／４２／４３）によりそれぞれ動作するように構成されているともに、
切替バルブ（５０）により、人為操作によるシフトレンジ切替に応じて、前記共通リニアソレノイドバルブ（３１／３２／３３）からの油圧の供給先が切り替えられるように構成され、
（１）前記切替バルブ（５０）と前記噛み合い式係合装置（Ｄ）の油圧サーボ（４４）とを接続する油路に設けられた絞り部（６０）、及び
（２）前記切替バルブ（５０）における前記共通リニアソレノイドバルブ（３１／３２／３３）との連通ポート（５０ｄ）と、前記噛み合い式係合装置（Ｄ）の油圧サーボ（４４）との連通ポート（５０ｇ）との軸方向間隔を広くした構成、
の少なくとも一方を備える。
【００５５】
この構成によれば、（１）の絞り部（６０）を備えることで、噛み合い式係合装置（Ｄ）の係合状態で実現されるモード（以下、「第一モード」と言う。）において噛み合い式係合装置（Ｄ）の油圧サーボ（４４）に供給されていた油圧が、特定係合装置（Ｅｓ）の係合状態で実現されるモード（以下、「第二モード」と言う。）に切り替えられた後、緩やかに低下する。このため、第一モードから第二モードへの切替後も噛み合い式係合装置（Ｄ）の油圧サーボ（４４）に作用する油圧が比較的高く維持される。よって、共通リニアソレノイドバルブ（３１／３２／３３）からの供給油圧の大きさによらずに、第二モードへの切替後もしばらくの間は噛み合い式係合装置（Ｄ）を係合状態に維持することができる。
或いは、（２）の構成を備えることで、第一モードから第二モードへの切り替えのために切替バルブ（５０）が共通リニアソレノイドバルブ（３１／３２／３３）からの油圧の供給先を噛み合い式係合装置（Ｄ）の油圧サーボ（４４）から特定係合装置（Ｅｓ）の油圧サーボ（４１／４２／４３）へと切り替える際に、共通リニアソレノイドバルブ（３１／３２／３３）と噛み合い式係合装置（Ｄ）の油圧サーボ（４４）とが連通する時期を遅らせることができる。このため、噛み合い式係合装置（Ｄ）の油圧サーボ（４４）に作用する油圧の低下開始時期を遅らせることができ、第一モードから第二モードへの切替後も噛み合い式係合装置（Ｄ）の油圧サーボ（４４）に作用する油圧が比較的高く維持される。よって、第二モードへの切替後もしばらくの間は噛み合い式係合装置（Ｄ）を係合状態に維持することができる。
【００５６】
一態様として、
前記共通リニアソレノイドバルブ（３１／３２／３３）からの油圧を前記特定係合装置（Ｅｓ）の油圧サーボ（４１／４２／４３）に供給する場合には、当該供給油圧を一旦低下させてから上昇させる緩係合制御を実行し、
前記切替バルブ（５０）が前記共通リニアソレノイドバルブ（３１／３２／３３）からの油圧の供給先を前記噛み合い式係合装置（Ｄ）から前記特定係合装置（Ｅｓ）に切り替え、前記緩係合制御において前記共通リニアソレノイドバルブ（３１／３２／３３）からの供給油圧が低下している間に、前記切替バルブ（５０）が前記共通リニアソレノイドバルブ（３１／３２／３３）からの油圧の供給先をさらに前記特定係合装置（Ｅｓ）から前記噛み合い式係合装置（Ｄ）に切り替える際に、前記噛み合い式係合装置（Ｄ）の油圧サーボ（４４）に作用する油圧が当該噛み合い式係合装置（Ｄ）を係合状態とするのに必要な係合必要圧（Ｐｅ）以上に維持されるように、前記絞り部（６０）の開口径及び前記軸方向間隔が設定されていることが好ましい。
【００５７】
この構成によれば、第二モードから第一モードへの切替時に、共通リニアソレノイドバルブ（３１／３２／３３）から特定係合装置（Ｅｓ）の油圧サーボ（４１／４２／４３）への油圧を供給する際に一旦油圧を低下させるので、特定係合装置（Ｅｓ）の急係合に伴う係合ショックの発生を抑制することができる。このとき、係合ショックの発生を抑制できる一方で、例えば共通リニアソレノイドバルブ（３１／３２／３３）からの供給油圧が係合必要圧（Ｐｅ）未満まで低下してしまうと、その後に第二モードに再度切り替わった場合には係合必要圧（Ｐｅ）未満に低下した油圧が共通リニアソレノイドバルブ（３１／３２／３３）から噛み合い式係合装置（Ｄ）の油圧サーボ（４４）に供給されて、噛み合い式係合装置（Ｄ）が解放される場合がある。しかし、この場合であっても、絞り部（６０）の開口径及び２つの連通ポート（５０ｄ，５０ｇ）どうしの間の軸方向間隔を上記のように設定することで、噛み合い式係合装置（Ｄ）の油圧サーボ（４４）からの油の抜けを遅延させ、第二モードへの再切替後に噛み合い式係合装置（Ｄ）を係合状態に維持することができる。
【００５８】
一態様として、
前記切替バルブ（５０）による前記共通リニアソレノイドバルブ（３１／３２／３３）からの油圧の供給先の前記特定係合装置（Ｅｓ）から前記噛み合い式係合装置（Ｄ）への切替時からの経過時間が予め定められた設定時間に達した後に、前記共通リニアソレノイドバルブ（３１／３２／３３）からの供給油圧を前記係合必要圧（Ｐｅ）以上に上昇させることが好ましい。
【００５９】
切替バルブ（５０）による共通リニアソレノイドバルブ（３１／３２／３３）からの油圧の供給先の切替時から設定時間以上が経過すると、油圧制御装置（１）の個体毎のバラツキによらずに、切替バルブ（５０）がほぼ確実に共通リニアソレノイドバルブ（３１／３２／３３）と噛み合い式係合装置（Ｄ）の油圧サーボ（４４）とを連通させる状態になっていると推定できる。この点に鑑み、上記の構成によれば、設定時間の経過後に共通リニアソレノイドバルブ（３１／３２／３３）からの供給油圧を係合必要圧（Ｐｅ）以上に上昇させることで、噛み合い式係合装置（Ｄ）を確定的に係合状態とすることができる。
【００６０】
本開示に係る油圧制御装置は、上述した各効果のうち、少なくとも１つを奏することができれば良い。
【符号の説明】
【００６１】
１        油圧制御装置
７        車両用変速装置
３３      第三リニアソレノイドバルブ（共通リニアソレノイドバルブ）
４３      第三油圧サーボ（特定係合装置の油圧サーボ）
４４      第四油圧サーボ（噛み合い式係合装置の油圧サーボ）
５０      切替バルブ
５０ｄ    第四入力ポート（共通リニアソレノイドバルブとの連通ポート）
５０ｇ    第三出力ポート（噛み合い式係合装置の油圧サーボとの連通ポート）
６０      絞り部
７１      入力部材
７４      前後進切替機構
７６      無段変速機構
７７      出力部材
ＥＧ      内燃機関
Ｗ        車輪
Ｅｓ      特定係合装置
Ｃ１      第一クラッチ（前進用係合装置）
Ｃ２      第二クラッチ（切離用係合装置）
Ｂ１      第一ブレーキ（後進用係合装置）
Ｄ        ドグクラッチ（噛み合い式係合装置）
【図１】
0006615029.tif 000002
【図２】
0006615029.tif 000003
【図３】
0006615029.tif 000004
【図４】
0006615029.tif 000005
【図５】
0006615029.tif 000006
【図６】
0006615029.tif 000007